【手続補正書】
【提出日】令和3年1月25日(2021.1.25)
【手続補正１】
【補正対象書類名】特許請求の範囲
【補正対象項目名】全文
【補正方法】変更
【補正の内容】
【特許請求の範囲】
【請求項１】
複数の光電変換部と、
複数の光電変換部の上に配された複数のマイクロレンズと、
前記複数の光電変換部のうちの第１の光電変換部で発生した電荷に基づく第１の信号が読み出される第１の信号線と、
前記複数の光電変換部のうちの第２の光電変換部で発生した電荷に基づく第２の信号が読み出される第２の信号線と、
前記第１の信号線が接続された第１の入力部を有し、前記第１の入力部に入力された信号を第１のゲインで増幅及び／又はＡＤ変換の処理を行う第１の回路と、
前記第２の信号線が接続された第２の入力部を有し、前記第２の入力部に入力された信号に対し前記第１のゲインとは異なる第２のゲインで増幅及び／又はＡＤ変換の処理を行う第２の回路と、
前記第１の信号線と前記第２の信号線の間の接続状態／非接続状態を切り替えるスイッチとを有し、
前記第１の光電変換部および前記第２の光電変換部が、前記複数のマイクロレンズのうちの１つのマイクレンズの下に配置されていることを特徴とする光電変換装置。
【請求項２】
前記スイッチにより前記第１の信号線と前記第２の信号線の間を非接続状態とし、前記第１の信号を前記第１の回路により処理し、前記第２の信号を前記第２の回路により処理する、第１のモードと、
前記スイッチにより前記第１の信号線と前記第２の信号線の間を接続状態とし、前記第１の信号と前記第２の信号の平均信号を、前記第１の回路と前記第２の回路のそれぞれで処理する、第２のモードと、を有する
ことを特徴とする請求項１に記載の光電変換装置。
【請求項３】
前記スイッチにより前記第１の信号線と前記第２の信号線の間を接続状態とし、前記第１の信号を、前記第１の回路と前記第２の回路のそれぞれで処理する、第３のモードをさらに有する
ことを特徴とする請求項２に記載の光電変換装置。
【請求項４】
前記第１のモードでは、前記第２の回路は、前記第１のゲインと同じ第３のゲインで前記第２の信号の増幅及び／又はＡＤ変換の処理を行う
ことを特徴とする請求項２又は３に記載の光電変換装置。
【請求項５】
前記第１のモードと前記第２のモードが、フレーム単位で切り替えられる
ことを特徴とする請求項２〜４のいずれか１項に記載の光電変換装置。
【請求項６】
前記第１のモードと前記第２のモードが、行単位で切り替えられる
ことを特徴とする請求項２〜４のいずれか１項に記載の光電変換装置。
【請求項７】
前記第１の光電変換部と前記第２の光電変換部から位相差情報を取得する
ことを特徴とする請求項１〜６のいずれか１項に記載の光電変換装置。
【請求項８】
前記第１の光電変換部で発生した電荷に基づく信号を前記第１の信号線へ出力する第１の増幅回路と、前記第２の光電変換部で発生した電荷に基づく信号を前記第２の信号線へ出力する第２の増幅回路と、を有し、
前記スイッチは、前記第１の増幅回路及び前記第２の増幅回路と、前記第１の回路及び前記第２の回路と、の間に配置されている
ことを特徴とする請求項１〜７のいずれか１項に記載の光電変換装置。
【請求項９】
前記第１の回路は前記第１のゲインで増幅の処理を行うアナログ増幅器を含み、
前記第２の回路は前記第２のゲインで増幅の処理を行うアナログ増幅器を含む
ことを特徴とする請求項１〜８のいずれか１項に記載の光電変換装置。
【請求項１０】
前記第１の回路は前記第１のゲインでＡＤ変換の処理を行うＡＤ変換器を含み、
前記第２の回路は前記第２のゲインでＡＤ変換の処理を行うＡＤ変換器を含む
ことを特徴とする請求項１〜８のいずれか１項に記載の光電変換装置。
【請求項１１】
前記第１の回路はアナログ増幅器とＡＤ変換器から構成される回路であり、前記第１のゲインは増幅ゲインもしくはＡＤ変換ゲイン、又はその両方であり、
前記第２の回路はアナログ増幅器とＡＤ変換器から構成される回路であり、前記第２のゲインは増幅ゲインもしくはＡＤ変換ゲイン、又はその両方である
ことを特徴とする請求項１〜８のいずれか１項に記載の光電変換装置。
【請求項１２】
請求項１〜１１のいずれか１項に記載の光電変換装置と、
前記光電変換装置から出力される信号を処理する装置、および前記光電変換装置から得られる情報に基づいて制御される装置の少なくとも一方と、
を備えることを特徴とする撮像システム。
【請求項１３】
第１の光電変換部と、
第２の光電変換部と、
前記第１の光電変換部で発生した電荷に基づく第１の信号が読み出される第１の信号線と、
前記第２の光電変換部で発生した電荷に基づく第２の信号が読み出される第２の信号線と、
前記第１の信号線が接続された第１の入力部を有し、前記第１の入力部に入力された信号を第１のゲインでＡＤ変換の処理を行う第１の回路と、
前記第２の信号線が接続された第２の入力部を有し、前記第２の入力部に入力された信号に対し前記第１のゲインとは異なる第２のゲインでＡＤ変換の処理を行う第２の回路と、
前記第１の信号線と前記第２の信号線の間の接続状態／非接続状態を切り替えるスイッチとを有することを特徴とする光電変換装置。
【請求項１４】
前記スイッチにより前記第１の信号線と前記第２の信号線の間を非接続状態とし、前記第１の信号を前記第１の回路により処理し、前記第２の信号を前記第２の回路により処理する、第１のモードと、
前記スイッチにより前記第１の信号線と前記第２の信号線の間を接続状態とし、前記第１の信号と前記第２の信号の平均信号を、前記第１の回路と前記第２の回路のそれぞれで処理する、第２のモードと、を有する
ことを特徴とする請求項１３に記載の光電変換装置。
【請求項１５】
前記スイッチにより前記第１の信号線と前記第２の信号線の間を接続状態とし、前記第１の信号を、前記第１の回路と前記第２の回路のそれぞれで処理する、第３のモードをさらに有する
ことを特徴とする請求項１４に記載の光電変換装置。
【請求項１６】
前記第１のモードでは、前記第２の回路は、前記第１のゲインと同じ第３のゲインで前記第２の信号のＡＤ変換の処理を行う
ことを特徴とする請求項１４又は１５に記載の光電変換装置。
【請求項１７】
前記第１のモードと前記第２のモードが、フレーム単位で切り替えられる
ことを特徴とする請求項１４〜１６のいずれか１項に記載の光電変換装置。
【請求項１８】
前記第１のモードと前記第２のモードが、行単位で切り替えられる
ことを特徴とする請求項１４〜１６のいずれか１項に記載の光電変換装置。
【請求項１９】
前記第１の回路はアナログ増幅器とＡＤ変換器を含む回路であり、
前記第２の回路はアナログ増幅器とＡＤ変換器を含む回路である、
ことを特徴とする請求項１３〜１８のいずれか１項に記載の光電変換装置。
【請求項２０】
請求項１３〜１９のいずれか１項に記載の光電変換装置と、
前記光電変換装置から出力される信号を処理する装置、および前記光電変換装置から得られる情報に基づいて制御される装置の少なくとも一方と、
を備えることを特徴とする撮像システム。
【手続補正２】
【補正対象書類名】明細書
【補正対象項目名】０００６
【補正方法】変更
【補正の内容】
【０００６】
本発明の第一態様は、複数の光電変換部と、複数の光電変換部の上に配された複数のマイクロレンズと、前記複数の光電変換部のうちの第１の光電変換部で発生した電荷に基づく第１の信号が読み出される第１の信号線と、前記複数の光電変換部のうちの第２の光電変換部で発生した電荷に基づく第２の信号が読み出される第２の信号線と、前記第１の信号線が接続された第１の入力部を有し、前記第１の入力部に入力された信号を第１のゲインで増幅及び／又はＡＤ変換の処理を行う第１の回路と、前記第２の信号線が接続された第２の入力部を有し、前記第２の入力部に入力された信号に対し前記第１のゲインとは異なる第２のゲインで増幅及び／又はＡＤ変換の処理を行う第２の回路と、前記第１の信号線と前記第２の信号線の間の接続状態／非接続状態を切り替えるスイッチとを有し、前記第１の光電変換部および前記第２の光電変換部が、前記複数のマイクロレンズのうちの１
つのマイクレンズの下に配置されていることを特徴とする光電変換装置を提供する。
【手続補正３】
【補正対象書類名】明細書
【補正対象項目名】０００７
【補正方法】変更
【補正の内容】
【０００７】
本発明の第二態様は、本発明に係る光電変換装置と、前記光電変換装置から出力される信号を処理する装置、および前記光電変換装置から得られる情報に基づいて制御される装置の少なくとも一方と、を備えることを特徴とする撮像システムを提供する。
【手続補正４】
【補正対象書類名】明細書
【補正対象項目名】０００８
【補正方法】変更
【補正の内容】
【０００８】
本発明の第三態様は、第１の光電変換部と、第２の光電変換部と、前記第１の光電変換部で発生した電荷に基づく第１の信号が読み出される第１の信号線と、前記第２の光電変換部で発生した電荷に基づく第２の信号が読み出される第２の信号線と、前記第１の信号線が接続された第１の入力部を有し、前記第１の入力部に入力された信号を第１のゲインでＡＤ変換の処理を行う第１の回路と、前記第２の信号線が接続された第２の入力部を有し、前記第２の入力部に入力された信号に対し前記第１のゲインとは異なる第２のゲインでＡＤ変換の処理を行う第２の回路と、前記第１の信号線と前記第２の信号線の間の接続状態／非接続状態を切り替えるスイッチとを有することを特徴とする光電変換装置を提供する。
また、本発明の第四態様は、本発明に係る光電変換装置と、前記光電変換装置から出力される信号を処理する装置、および前記光電変換装置から得られる情報に基づいて制御される装置の少なくとも一方と、を備えることを特徴とする撮像システムを提供する。